(57)【要約】【課題】手によるの押し操作で仮止めができ且つ手による引き操作で取外しが容易に行え、手直しなしに繰り返し使える鉄パイプ仮止め金具を提供することを目的としている。【解決手段】鉄パイプSPが嵌る円形形態の金具本体２と、この金具本体２の下方に設けられた鉄パイプSPを金具本体２に出し入れする開口部３と、金具本体２の左右の下方先端にそれぞれ設けられた、コンパネKPに外向き斜めに突き刺さる斜め広がり形態の二つ針からなる左突き刺さり部位４、二つ針からなる右突き刺さり部位５と、この左突き刺さり部位４、右突き刺さり部位５と金具本体２の間に形成された、開口部３の開きを鉄パイプSPの外形より幅の狭い緩やかな湾曲絞り形態としてなる左絞り部６、右絞り部７とからなっている。【選択図】図１
2008069550.tif 000002
【特許請求の範囲】
【請求項１】
鉄パイプが嵌る形態の金具本体と、
この金具本体の下方に設けられた鉄パイプを該金具本体に出し入れする開口部と、
前記金具本体の左右の下方先端にそれぞれ設けられた、木製コンクリートパネルに外向き斜めに突き刺さる斜め広がり形態の左突き刺さり部位、右突き刺さり部位と、
この左突き刺さり部位、右突き刺さり部位と前記金具本体の間に形成された、前記開口部の開きを鉄パイプの外形より幅の狭い絞り状態としてなる左絞り部、右絞り部と、とからなり、
前記金具本体に鉄パイプを嵌め状態にして、木製コンクリートパネルに前記鉄パイプを立て当てて該鉄パイプを押し操作すると、該鉄パイプは左絞り部、右絞り部を押し開き動作させて、前記左突き刺さり部位、右突き刺さり部位が前記木製コンクリートパネルに外向き斜めに突き刺さり固定されて、前記鉄パイプを前記木製コンクリートパネルに仮止めすることを特徴とする鉄パイプ仮止め金具。
【請求項２】
定常状態から左突き刺さり部位、右突き刺さり部位が広げられた状態においては、定常状態に戻ろうとする戻り付勢力が生ずる形態であることを特徴とする請求項１記載の鉄パイプ仮止め金具。
【請求項３】
前構成が金属製バネ製部材と同じような一枚の硬質強弾性金属製部材から形成されてなることを特徴とする請求項１、２いずれか記載の鉄製パイプ仮止め金具。
【発明の詳細な説明】
【技術分野】
【０００１】
本発明は、主にコンクリート壁などのコンクリート構造体を形成するための木製のコンクリートパネル型枠に使用する、縦置きパネル抑え鉄パイプを木製のコンクリートパネル（以下「コンパネ」という。）に仮止めするための鉄パイプ仮止め金具に関する。
【背景技術】
【０００２】
従来の、木製のコンクリートパネル型枠を補強する縦置き鉄パイプの仮止め金具には、凹み形態の鉄パイプを嵌め込むパイプ嵌め込み部と、このパイプ嵌め込み部の左右端から横に延びた左叩き腕片、右叩き腕片と、この左叩き腕片、右叩き腕片の端に垂直に設けられたコンクリートパネルに打ち込まれる打込み突起とからなる鉄パイプ仮止め金具が知られている。例えば、特許文献１および特許文献２に開示された発明。
【特許文献１】実公４１−２４６０５号公報
【特許文献２】実公４２−３９５８号公報
【非特許文献１】特になし
【０００３】
特許文献１、特許文献２の調査は、検索式  E04G17/00@A、ヒット件数  ５９１件、から抽出したものである。
【発明の開示】
【発明が解決しようとする課題】
【０００４】
上述した従来技術は、金槌で左叩き腕片、右叩き腕片を打ち叩いて打込み突起をコンパネに打込み固定するものであるため、取外す場合は左叩き腕片、右叩き腕片とコンパネとの間にドライバーなどを差し込んで起しぬかなければならないので作業性が悪い、という欠点を有するものであった。
【０００５】
本発明は以上のような従来技術の欠点に鑑み、手のみの押し操作で仮止めができ且つ手のみの引き操作で取外しが容易に行え、手直しなしに繰り返し使える鉄パイプ仮止め金具を提供することを目的としている。
【０００６】
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲を限定するものではない。
【課題を解決するための手段】
【０００７】
上記目的を達成するために、本発明は次のような構成となっている。
＜請求項１記載の発明＞
鉄パイプが嵌る形態の金具本体と、
この金具本体の下方に設けられた鉄パイプを該金具本体に出し入れする開口部と、
前記金具本体の左右の下方先端にそれぞれ設けられた、木製コンクリートパネルに外向き斜めに突き刺さる斜め広がり形態の左突き刺さり部位、右突き刺さり部位と、
この左突き刺さり部位、右突き刺さり部位と前記金具本体の間に形成された、前記開口部の開きを鉄パイプの外形より幅の狭い絞り状態としてなる左絞り部、右絞り部と、とからなり、
前記金具本体に鉄パイプを嵌め状態にして、木製コンクリートパネルに前記鉄パイプを立て当てて該鉄パイプを押し操作すると、該鉄パイプは左絞り部、右絞り部を押し開き動作させて、前記左突き刺さり部位、右突き刺さり部位が前記木製コンクリートパネルに外向き斜めに突き刺さり固定されて、前記鉄パイプを前記木製コンクリートパネルに仮止めする鉄パイプ仮止め金具を構成している。
＜請求項２記載の発明＞
請求項１記載の発明の構成において、定常状態から左突き刺さり部位、右突き刺さり部位が広げられた状態においては、定常状態に戻ろうとする戻り付勢力が生ずる形態である鉄パイプ仮止め金具を構成している。
＜請求項３記載の発明＞
請求項１記載、２いずれか記載の発明の構成において、前構成が金属製バネ製部材と同じような一枚の硬質強弾性金属製部材から形成されてなる記載の鉄製パイプ仮止め金具を構成している。
【発明の効果】
【０００８】
以上の説明から明らかなように、本発明にあっては次に列挙する効果が得られる。
＜請求項１記載の発明の効果＞
鉄パイプが嵌る形態の金具本体と、この金具本体の下方に設けられた鉄パイプを該金具本体に出し入れする開口部と、前記金具本体の左右の下方先端にそれぞれ設けられた、木製コンクリートパネルに外向き斜めに突き刺さる斜め広がり形態の左突き刺さり部位、右突き刺さり部位と、この左突き刺さり部位、右突き刺さり部位と前記金具本体の間に形成された、前記開口部の開きを鉄パイプの外形より幅の狭い絞り状態としてなる左絞り部、右絞り部と、とからなり、前記金具本体に鉄パイプを嵌め状態にして、木製コンクリートパネルに前記鉄パイプを立て当てて該鉄パイプを押し操作すると、該鉄パイプは左絞り部、右絞り部を押し開き動作させて、前記左突き刺さり部位、右突き刺さり部位が前記木製コンクリートパネルに外向き斜めに突き刺さり固定されて、前記鉄パイプを前記木製コンクリートパネルに仮止めする鉄パイプ仮止め金具を構成しているので、
鉄パイプ仮止め金具を装着した鉄パイプを手で強めに押すだけの操作で、左突き刺さり部位、右突き刺さり部位が外向き斜めに押し下げ広げ力によりコンパネに突き刺さり簡単に仮固定でき、鉄パイプを手で握り少し強めに引くだけで左突き刺さり部位、右突き刺さり部位をコンパネから容易に抜くことがでくるので、大変作業性をよくするという効果を奏する。
また、何回でも繰り返し使用できるとい効果を奏する。
また、鉄パイプに鉄パイプ仮止め金具を装着した状態としたままにして、次の使用にできるという効果を奏する。
＜請求項２記載の発明の効果＞
請求項１記載の発明の構成において、定常状態から左突き刺さり部位、右突き刺さり部位が広げられた状態においては、定常状態に戻ろうとする戻り付勢力が生ずる形態である鉄パイプ仮止め金具を構成しているので、
鉄パイプを持ち引いての引き抜き操作において、コンパネからの離れに伴って左突き刺さり部位、右突き刺さり部位が戻り不勢力により内側に寄って行くので、抜き操作が容易であるとともに、抜き後が綺麗にできるという効果を奏する。  
＜請求項３記載の発明の効果＞
請求項１記載、２いずれか記載の発明の構成において、前構成が金属製バネ製部材と同じような一枚の硬質強弾性金属製部材から形成されてなる記載の鉄製パイプ仮止め金具を構成しているので、
薄い一枚の幅１０ｍｍ程度、厚み０．３ｍｍ〜０．５ｍｍ程度の鋼製部材で形成することが可能であり、嵩張らない、原料コストおよび製造コストが低コストであるので安価なものにできるという効果を奏する。
【発明を実施するための最良の形態】
【０００９】
以下、図面に示す発明を実施するための最良の形態により、本発明を詳細に説明する。但し、本発明をこれらに限定するものではない。
【００１０】
＜第１の実施の形態＞
図１、図２、図３に示す本発明を実施するための最良の第１の実施の形態において１は鉄パイプ仮止め金具であって、この鉄パイプ仮止め金具１は薄い一枚の幅１０ｍｍ程度、厚み０．３ｍｍ〜０．５ｍｍ程度の鋼製部材で形成されており、鉄パイプSPが嵌る円形形態の金具本体２と、この金具本体２の下方に設けられた鉄パイプSPを金具本体２に出し入れする開口部３と、金具本体２の左右の下方先端にそれぞれ設けられた、コンパネKPに外向き斜めに突き刺さる斜め広がり形態の二つ針からなる左突き刺さり部位４、二つ針からなる右突き刺さり部位５と、この左突き刺さり部位４、右突き刺さり部位５と金具本体２の間に形成された、開口部３の開きを鉄パイプSPの外形より幅の狭い緩やかな湾曲絞り形態としてなる左絞り部６、右絞り部７とからなっている。
【００１１】
金具本体２に鉄パイプSPを嵌め状態にして（図２（ａ））、コンパネKPに鉄パイプSPを立て当てて鉄パイプSPを押し操作すると、鉄パイプSPは左絞り部６、右絞り部７を押し開き動作させて、左突き刺さり部位４、右突き刺さり部位５がコンパネKPに外向き斜めに突き刺さり固定されて（図２（ｂ）（ｃ））、鉄パイプSPをコンパネKPに仮止めすることができる。
鉄パイプSPを持ち引いての引き抜き操作において、コンパネKPからの離れに伴って左突き刺さり部位４、右突き刺さり部位５が戻り不勢力により内側に寄って行くので、抜き操作が容易であるとともに、抜き後が綺麗にできる（図２（ｄ））。
図３上図において、型枠KYのコンパネKPに同間隔で縦置き鉄パイプSPを鉄パイプ仮止め金具１により仮止めし、図３下図において、縦置き鉄パイプTSPに横置き鉄パイプYSPを抑え金具１０で強固に締め付け固定している。
【００１２】
左突き刺さり部位、右突き刺さり部位は針が２つであることに限定されるものではなく、一方が針１つで他方が針２つ、両方とも針１つなどでもよい。
【００１３】
金具本体は最上部をヒンジー形態とするのもよい。
また金具本体に強度および弾性付勢力を増すためのリブを形成するのもよい。
また、金具本体の上部を薄肉としたりするなど、最適な性能が得られるように各部の肉厚を変えるのもよい。
また、針ないし左突き刺さり部位、右突き刺さり部位を交換式とするのもよい。
また、針に顎部を設け抜けないようにして、針はコンパネ内に残して、常に新しい針を金具本体に嵌め込むなどしてセットできるようにするのもよい。
（発明を実施するための異なる形態）
【００１４】
次に、本発明を実施するための異なる形態について説明する。なお、これら本発明を実施するための異なる形態の説明に当たって、本発明を実施するための最良の第１の実施の形態と同一構成部分には同一符号を付して重複する説明を省略する。
【００１５】
＜第２の実施の形態＞
図４に示す本発明を実施するための最良の第２の実施の形態において前記第１の実施の形態と主に異なる点は、絞り部を折り曲げ形態の左絞り部１２、右絞り部１３としてなる鉄パイプ仮止め金具１４を形成した点にある。
【産業上の利用可能性】
【００１６】
本発明は建築用金具を製造する産業で利用される。
【図面の簡単な説明】
【００１７】
【図１】本発明を実施するための最良の第１の実施の形態の正面図、側面図および斜視図。
【図２】本発明を実施するための最良の第１の実施の形態の操作手順図。
【図３】本発明を実施するための最良の第１の実施の形態の型枠での使用状態例を示す正面図。
【図４】本発明を実施するための最良の第２の実施の形態を示す操作手順図。
【符号の説明】
【００１８】
SP：鉄パイプ
KP：コンパネ
KY：型枠
TSP：縦置き鉄パイプ
YSP：横置き鉄パイプ
１：鉄パイプ仮止め金具、
２：金具本体、
３：開口部、
４：左突き刺さり部位、
５：右突き刺さり部位、
６：左絞り部、
７：右絞り部、
１０：抑え金具、
１２：左絞り部、
１３：右絞り部、
１４：鉄パイプ仮止め金具。
【図１】
2008069550.tif 000003
【図２】
2008069550.tif 000004
【図３】
2008069550.tif 000005
【図４】
2008069550.tif 000006